(57)【要約】      （修正有）【課題】玉葱の大きさ・形状に左右されることなく根と茎葉とを安全・確実に切断出来るようにした新規な根茎切断装置を提供する。【解決手段】根部切断体１と茎葉切断体２とは、最小寸法の玉葱が入り込む隙間Ｘ１に接近させた並行姿勢に直立配置されており、上記根部切断体１は頂部に根を挿入する凹部１Ａとこの凹部の奥方に切断刃Ｋ１，Ｋ２を設置しており、上記茎葉切断体２は上記根部切断体との隙間Ｘ１に挿入される玉葱により根部切断体から並行姿勢を保ったままで離反方向側に弾性抵抗力に抗して拡開押動され、且つ茎葉切断体の頂部に茎葉を挿入する凹部２Ａとこの凹部の奥方に切断刃Ｋ３，Ｋ４を設置したものである。【選択図】図１
0003112277.tif 000002
【実用新案登録請求の範囲】
【請求項１】
収穫した玉葱を手に持ち根と茎葉とを同時に切断する玉葱の根茎切断装置であって、据付基部上に剛性物の根部切断体と可撓性物の茎葉切断体とを最小寸法の玉葱が入り込む隙間に接近させた並行姿勢に直立配置させ、上記根部切断体は頂部に根を挿入する凹部とこの凹部の奥方に切断刃を設置し、上記茎葉切断体は上記根部切断体との隙間に挿入される玉葱により根部切断体から並行姿勢を保ったままで離反方向側に弾性抵抗力に抗して拡開押動される関係とし、且つ茎葉切断体の頂部に茎葉を挿入する凹部とこの凹部の奥方に切断刃を設置したことを特徴とする玉葱の根茎切断装置。
【請求項２】
上記茎葉切断体は、２枚の可撓バネ板を接近して直立配置し、上記可撓バネ板の対向する内壁面に多数の凸片を間隔を空けて付設し、上記凸片の自由端面が相手側の対向内壁面に可撓バネ板の撓み時に当接することを特徴とする請求項１記載の玉葱の根茎切断装置。
【請求項３】
上記茎葉切断体は、２枚の可動板を接近してこの下端部をベース板に蝶番で枢支するとともに、上端部を凹部と切断刃を備えたヘッド本体の下端に蝶番で枢支させて直立配置し、上記２枚の可動板が平行四辺形に平行移動して根部切断体から離反・接近することを特徴とする請求項１記載の玉葱の根茎切断装置。
【請求項４】
上記根切断体の凹部は、玉葱の根を挿通させるとともに、根の外周を受け止める基準面を有し、上記茎葉切断体の凹部は、玉葱の茎葉を挿通させるとともに、玉葱の球体から茎が出ている肩部外周を受け止める基準面となる一対のガイド棒を有することを特徴とする請求項１記載の玉葱の根茎切断装置。
【請求項５】
上記根部切断体と上記茎葉切断体との間に、この隙間を縮める弾性体を架絡させたことを特徴とする請求項１記載の玉葱の根茎切断装置。
【請求項６】
上記各切断刃は、一対の薄手の回転刃を左右に重ねたものであることを特徴とする請求項１記載の玉葱の根茎切断装置。
【請求項７】
上記据付基部は、車輪付き座椅子の座部の前側に設置されていることを特徴とする請求項１記載の玉葱の根茎切断装置。
【請求項８】
上記据付基部は、座部に対して高さ調節機構により設置されていることを特徴とする請求項７記載の玉葱の根茎切断装置。
【考案の詳細な説明】
【技術分野】
【０００１】  本考案は、玉葱本体から根と茎葉とを切断して玉葱本体のみとする玉葱の根茎切断装置に係り、特に、玉葱の大きさ・形状に左右されることなく根と茎葉とを安全・確実に切断出来るようにした新規な根茎切断装置を提供するものに関する。
【背景技術】
【０００２】  従来、玉葱本体から根と茎葉とを切断して玉葱本体のみとする玉葱の根茎切断装置には、例えば、作業者の完全な手動操作により行う切断器具（鎌）と、玉葱の搬送具と把持具と切断具と排出シュート等を備た全自動の切断装置（玉葱調整機）が提供されている。【０００３】  以下、従来の玉葱の根茎切断装置の構成を説明する。まず、鎌による作業者の手動操作は、図１３に示すように、畑等の地面Ａに鎌３の柄３Ａを置いて足・ひざ等で押さえ付けて刃部３Ｂを垂直に立てた状態に固定する。次に、玉葱５の根５Ａと球体７を両手で持って水平姿勢とし、鎌３の刃部３Ｂに根５Ａの根元を近付けて切断する。続いて、玉葱５の球体７と茎葉９を持ち、玉葱の球体から茎の肩部５Ｂを切断する。上記二度切りにより、玉葱５は根５Ａと茎５Ｂが切断される。この時、球体の外観や切り口を見て良品と不良品（Ｂ級以下）を判別して、回収箱に一つ一つ入れる作業を繰り返し行う。【０００４】  また、上記切断装置（玉葱調整機）は、水平方向に玉葱を搬送する搬送部を、前側の整列搬送装置と後側の挟持搬送装置により構成し、該挟持搬送装置の上方に玉葱の根を切断する根切断装置を、下方に玉葱の茎を切断する茎切断装置を配置し、前記整列搬送装置を、２本の平行する回転軸上に、螺旋状にブラシを装着し、互いに逆方向に回転して搬送するように構成し、前記整列搬送装置の中途部上方に反転機構を配置したものである（例えば、特許文献１参照。）。【０００５】  上記手動操作による切断器具（鎌）では、簡便に切断作業ができる利点があるものの、多くの問題点が指摘されている。その問題点としては、（１）．根と茎葉とを二度切りするから一個当たりの処理時間が長くなる。（２）．切断位置は、作業者の目測によるから、個人差が生じるのは勿論のこと、一人の作業者によるときも、バラつきが生じ、同一品質に処理出来にくい。この為に、不良品（Ｂ級以下）の発生を多くする。（３）．切断作業中は、鎌の刃部を垂直に立て全体が剥き出されている。このために、根の切断時等において、根を持つ手と刃部とが極端に接近するから注意意識を高めなければならず、不注意で指先を切る危険性が高い。（４）．更に、玉葱畑の地面に鎌の柄をおいて、刃部を垂直に立てた状態に、足や膝等で柄を押さえ付けて固定する。この鎌の固定状態は、作業者が地面に座り込んだ姿勢で根と茎の切断作業を続け、畝から引き抜かれた玉葱の位置に対応して、少しずつ移動しながら沢山の玉葱を切断処理する作業が長時間にわたり行われる。このため、手足のしびれや腰痛を起こしてしまう、と言う問題点がある。更には、玉葱の根と茎の切断作業の効率も悪いものとしている。【０００６】  また、上記切断装置（玉葱調整機）では、玉葱を搬送する搬送部と、挟持搬送装置と、該挟持搬送装置の上方に玉葱の根を切断する根切断装置と、下方に玉葱の茎を切断する茎切断装置と、整列搬送装置は２本の平行する回転軸上に、螺旋状にブラシを装着し、互いに逆方向に回転して搬送し、整列搬送装置の中途部上方に反転機構を配置したものであるから、玉葱の根と茎の切断作業が全自動に行われて作業能率が高められる利点がある。しかし、上記機械化・自動化は、大規模な玉葱栽培には向くが、小規��な玉葱栽培の生産者には向かない。即ち、機械化の為には、多額の資本投入と機械のメンテナンスや償却費を伴い、小規模生産者にとっては、玉葱生産による利潤確保が困難であると言う問題点がある。【０００７】
【特許文献１】  特開２０００−６９８２１号公報
【考案の開示】
【考案が解決しようとする課題】
【０００８】  本考案は、小規模生産者にとって、上記従来の切断器具（鎌）や切断装置（玉葱調整機）が持つ問題に鑑みてなされたものである。本考案はこのような問題点に基づいてなされたものでその目的は、玉葱の大きさ・形状に左右されることなく根と茎葉とを確実に切断出来るようにした新規な根茎切断装置を提供することにある。
【課題を解決するための手段】
【０００９】  上記目的を逹成するべく本考案の請求項１による玉葱の根茎切断装置は、収穫した玉葱を手に持ち根と茎葉とを同時に切断する玉葱の根茎切断装置であって、据付基部上に剛性物の根部切断体と可撓性物の茎葉切断体とを最小寸法の玉葱が入り込む隙間に接近させた並行姿勢に直立配置させ、上記根部切断体は頂部に根を挿入する凹部とこの凹部の奥方に切断刃を設置し、上記茎葉切断体は上記根部切断体との隙間に挿入される玉葱により根部切断体から並行姿勢を保ったままで離反方向側に弾性抵抗力に抗して拡開押動される関係とし、且つ茎葉切断体の頂部に茎葉を挿入する凹部とこの凹部の奥方に切断刃を設置したことを特徴とするものである。【００１０】  また、請求項２による根茎切断装置は、請求項１記載の玉葱の根茎切断において、上記茎葉切断体は、２枚の可撓バネ板を接近して直立配置し、上記可撓バネ板の対向する内壁面に多数の凸片を間隔を空けて付設し、上記凸片の自由端面が相手側の対向内壁面に可撓バネ板の撓み時に当接することを特徴とするものである。【００１１】  また、請求項３による根茎切断装置は、請求項１記載の玉葱の根茎切断において、上記茎葉切断体は、２枚の可動板を接近してこの下端部をベース板に蝶番で枢支するとともに、上端部を凹部と切断刃を備えたヘッド本体の下端に蝶番で枢支させて直立配置し、上記２枚の可動板が平行四辺形に平行移動して根部切断体から離反・接近することを特徴とするものである。【００１２】  また、請求項４による玉葱の根茎切断装置は、請求項１記載の玉葱の根茎切断装置において、上記根切断体の凹部は、玉葱の根を挿通させるとともに、根の外周を受け止める基準面を有し、上記茎葉切断体の凹部は、玉葱の茎葉を挿通させるとともに、玉葱の球体から茎が出ている肩部外周を受け止める基準面となる一対のガイド棒を有することを特徴とするものである。【００１３】  また、請求項５による玉葱の根茎切断装置は、請求項１記載の玉葱の根茎切断装置において、上記根部切断体と上記茎葉切断体との間に、この隙間を縮める弾性体を架絡させたことを特徴とするものである。【００１４】  また、請求項６による玉葱の根茎切断装置は、請求項１記載の玉葱の根茎切断装置において、上記各切断刃は、一対の薄手の回転刃を左右に重ねたものであることを特徴とするものである。【００１５】  また、請求項７による玉葱の根茎切断装置は、請求項１記載の玉葱の根茎切断装置において、上記据付基部は、車輪付き座椅子の座部の前側に設置されていることを特徴とするものである。【００１６】  また、請求項８による玉葱の根茎切断装置は、請求項６記載の玉葱の根茎切断装置において、上記据付基部は、座部に対して高さ調節機構により設置されていることを特徴とするものである。【００１７】  すなわち、本考案の玉葱の根茎切断装置は、剛性物の根部切断体と可撓性物の茎葉切断体とは、最小寸法の玉葱が入り込む隙間に接近させた並行姿勢に直立配置されており、上記根部切断体は頂部に根を挿入する凹部とこの凹部の奥方に切断刃を設置しており、上記茎葉切断体は上記根部切断体との隙間に挿入される玉葱により根部切断体から並行姿勢を保ったままで離反方向側に弾性抵抗力に抗して拡開押動され、且つ茎葉切断体の頂部に茎葉を挿入する凹部とこの凹部の奥方に切断刃を設置したものである。従って、収穫した玉葱を手に持ち根と茎葉とを同時に切断するにあたり、水平姿勢にした玉葱の根と茎葉とを両手に持ち、根部切断体の凹部に根を挿入し、茎葉切断体の凹部に茎葉を挿入すると、玉葱の球体が根部切断体と可撓性物の茎葉切断体の隙間に挿入される。この時、球体の大きさに対応して、茎葉切断体が根部切断体から弾性抵抗を起こしながら離反され、球体を茎葉切断体と根部切断体とで軽く挟んだ状態となる。更に、根と茎葉を押し込むと、各々の凹部の奥方に待機する切断刃により正確な裁断位置で切断される。そして、根と茎葉を切り落とされた玉葱の球体だけが下方に落下して玉葱の根茎切断処理が容易・安全・正確に行われる。【００１８】  また、本考案の茎葉切断体は、２枚の可撓バネ板を接近して直立配置させ、上記可撓バネ板の対向する内壁面に多数の凸片が間隔を空けて付設されており、上記凸片の自由端面が相手側の対向内壁面に可撓バネ板の撓み時に当接して撓むから、茎葉切断体が根部切断体から弾性抵抗を起こしながら離反する時、茎葉切断体の腰折れ現象が起きない。従って、茎葉切断体は、玉葱の挿入時に、根部切断体から弾性抵抗を起こしながら水平方向に上下動することなく円滑に離反される。更に、本考案の茎葉切断体は、接近した２枚の可動板の上下端部を蝶番で枢支させて直立配置し、２枚の可動板が平行四辺形に平行移動して根部切断体から離反・接近するから、茎葉切断体が根部切断体から抵抗を起こしながら離反する時、茎葉切断体の腰折れ現象が起きず、平行移動して上下動することなく円滑に離反される。【００１９】  また、本考案は、根部切断体と茎葉切断体との間に、この隙間を縮める弾性体を架絡させたから、玉葱の挿入時に、茎葉切断体は、根部切断体から適度の弾性抵抗力を起こしながら水平方向に円滑に離反される。【００２０】  また、本考案は、根切断体の凹部は玉葱の根を挿通させるとともに、根の外周を受け止める基準面を有し、茎葉切断体の凹部は玉葱の茎葉を挿通させるとともに、玉葱の球体から茎が出ている肩部外周を受け止める基準面となる一対のガイド棒を有しているから、玉葱の球体の大きさ・形状の異形等に係わりなく、根と茎葉のより正確な位置での切断処理が容易に行われる。【００２１】  また、本考案は、各切断刃は、一対の薄手の回転刃を左右に重ねたものであるから、玉葱の球体の大きさ・形状の異形等に係わりなく、根と茎葉とを正確な位置で切断処理が容易に行われる。【００２２】  また、本考案は、据付基部は、車輪付き座椅子の座部の前側に設置されているから、座椅子の座部に腰掛けての処理作業ができ、腰痛等の身体障害を起こさない。更に、車輪付き座椅子により、畑の畦に沿って作業をしながら少しずつ移動でき、立ったり座ったりの煩わしさから解放され、作業効率が高められる。【００２３】  また、本考案は、据付基部が座部に対して高さ調節機構により設置されているから、作業者の体格や姿勢に対応して根切断体の凹部と茎葉切断体の凹部との高さ位置が最適位置に調節でき、楽な姿勢での切断処理が行われる。
【考案の効果】
【００２４】  本考案の玉葱の根茎切断装置によると、まず、球体を茎葉切断体と根部切断体とで軽く挟んだ状態で、根と茎葉を押し込むと、各々の凹部の奥方に待機する切断刃により切断でき、根と茎葉を切り落とす玉葱の根茎切断処理が容易・安全・正確にできる。
また、茎葉切断体は、根部切断体と茎葉切断体との弾性体により、根部切断体から弾性抵抗を起こしながら水平方向に上下動することなく円滑に離反でき、茎葉の切断時に腰折れ現象が起きない。
また、根切断体の凹部は玉葱の根の外周を受け止める基準面を有し、茎葉切断体の凹部は茎葉の肩部外周を受け止める基準面となる一対のガイド棒により、玉葱の球体の大きさ・形状の異形等に係わりなく、根と茎葉のより正確な位置で切断処理が容易にできる。
また、切断刃は一対の回転刃により、玉葱の球体の大きさ・形状の異形等に係わりなく、根と茎葉とを正確な位置で切断処理が容易にできる。
また、据付基部は、車輪付き座椅子の座部の前側に設置されているから、腰痛等の身体障害を起こさずに切断作業できるとともに、少しずつ移動でき、立ったり座ったりの煩わしさから解放され、作業効率が高くできる。
また、据付基部は高さ調節機構で、作業者の体格や姿勢に対応して根切断体の凹部と茎葉切断体の凹部との高さ位置が最適位置に調節でき、楽な姿勢での切断処理が行できる。【００２５】  即ち、本考案によると、収穫した玉葱は、根と茎葉との切断処理作業が従来の切断器具（鎌）に比べ、切断処理時間が約１／２に短縮されて作業効率が高められるばかりか、車輪付き座椅子の座部に腰掛けた楽な姿勢での作業であるから腰痛などの問題が解消できる。また、根切断体と可動する根部切断体及びこれに設けた凹部とこの奥部に備えた一対の回転刃や基準面により、玉葱の球体の大きさ・形状の異形等に係わりなく、根と茎葉が規定位置で安全・正確に切断処理できる。そして、小規模な玉葱栽培の生産者に向き、小規模生産者にとって、玉葱生産による利潤確保が可能である。
【考案を実施するための最良の形態】
【００２６】  以下、図１乃至図６を参照して本考案の第１の実施の形態を説明する。図１は本実施の形態による玉葱の根茎切断装置を示す斜視図であり、図２はその側面図、図３は平面図、図４はその正面図である。更に、図５と図６は作用図である。【００２７】  図１において、玉葱の根茎切断装置１００の概要を説明する。まず、玉葱の根茎切断装置１００は、車輪付き座椅子５０の座部５０Ａの前側に設置した両側の取付面５０Ｂ，５０Ｃに対し、据付基部４０を蝶ビスＣＢにより固着される。この据付基部４０に剛性物の根部切断体１と可撓性物の茎葉切断体２とを最小寸法Ｌ１の玉葱１０が入り込む隙間Ｘ１に接近させた並行姿勢に直立配置させている。そして、収穫した玉葱１０を両手Ｈに持ち、根１０Ａと茎葉１０Ｂとを同時に切断するものである。更に、車輪付き座椅子５０の座部５０Ａに腰掛けた作業者Ｍは、足で地面を蹴って車輪付き座椅子５０を少しずつ移動させ、畑の畦に置かれた玉葱１０を順次に手に取り、椅子に座ったままでの切断作業が行えるものとしている。そして、上記根部切断体１は、頂部に根１０Ａを挿入する凹部１Ａとこの凹部の奥方に切断刃Ｋ１，Ｋ２を設置している。上記切断刃Ｋ１，Ｋ２は、一対の薄手の回転刃Ｃ１，Ｃ２を軸で回転可能に左右から重ねて支持したものであるから、押し込まれた根１０Ａを両側から巻き込むようにして凹部１Ａの中央位置で正確に切断する機能を持っている。他方、上記茎葉切断体２は、上記根部切断体１との隙間Ｘ１に挿入される玉葱１０により根部切断体１から並行姿勢を保ったままで離反方向側に弾性抵抗力に抗して拡開押動される関係をなしている。そして、茎葉切断体２の頂部に茎葉１０Ｂを挿入する凹部２Ａとこの凹部の奥方に切断刃Ｋ３，Ｋ４を設置している。上記切断刃Ｋ３，Ｋ４は、一対の薄手の回転刃Ｃ３，Ｃ４を軸で回転可能に左右から重ねて支持したものであるから、押し込まれた茎葉１０Ｂを両側から巻き込むようにして凹部２Ａの中央位置で正確に切断する機能をもつ。【００２８】  続いて、上記玉葱の根茎切断装置１００において、各部の詳細構成を説明する。まず、上記茎葉切断体２は、ステンレス板材等からなる２枚の可撓バネ板２０，２２を接近して据付基部４０に下端部を直立配置し、上端部をヘッド本体２ＩＩに接続している。上記可撓バネ板２０，２２は、その対向する内壁面２０Ａ，２２Ａに多数の凸片２３，２５が等間隔に空けて付設され、上記凸片２３，２５の自由端面が相手側の対向内壁面２０Ａ，２２Ａに可撓バネ板２０，２２の撓み時に当接する。これで、茎葉切断体２は、反根部切断体１側に玉葱の挿入により押されるとき、腰折れの座屈を起こすことなく元に戻ろうとする弾性力に抗して水平移動することができる。また、上記根部切断体１と上記茎葉切断体２との間に、この隙間を適度の強さで縮める弾性体（拡張したバネ）３０を架絡させている。従って、上記茎葉切断体２は上記根部切断体１との隙間を最小隙間Ｘ１から最大隙間Ｘ３まで、玉葱１０の球体１０Ｃの大きさに連続してその隙間が可変される。更に、上記根切断体１の凹部１Ａは、玉葱１０の根１０Ａを挿通させるとともに、根１０Ａの外周を受け止める基準面１Ｂを形成し、上記茎葉切断体２の凹部２Ａは、玉葱１０の茎葉１０Ｂを挿通させるとともに、玉葱の球体から茎１０Ｂが出ている肩部外周を受け止める基準面２Ｂを形成している。【００２９】  更に、上記据付基部４０は、車輪付き座椅子５０の座部５０Ａの前側に設置されており、この据付基部４０は、座部５０Ａに対して高さ調節機構６０により設置されている。上記高さ調節機構６０は、据付基部４０の両側面に付設したナットＮに対して、車輪付き座椅子５０の取付板５０Ｂ，５０Ｃに明けた多数の小孔ｈ１〜ｈ３の一つに蝶ビスＣＢを通して螺合することにより連着される。尚、根部切断体１と茎葉切断体２とが作業者Ｍ側へ傾斜した取付姿勢となっている。そして、各小孔ｈ１〜ｈ３と蝶ビスとの連結位置の調節は、各小孔ｈ１〜ｈ３の選択により、上記根部切断体１と茎葉切断体２との高さ位置が調節され、体格の作業者にとって最適位置に固定される。これにより、作業効率と腰痛等の肉体的な負担が軽減される。勿論、各小孔ｈ１，ｈ２を長孔としても良く、この構成によると高さ調節位置が段階的ではなく連続して行える。更には、高さ調節機構６０は上記構成に限定されず、適宜に設計変更できる。【００３０】  以上の構成を基に本考案の玉葱の根茎切断装置１００の作用を説明する。まず、玉葱の根茎切断装置１００は、剛性物の根部切断体１と可撓性物の茎葉切断体２とは、最小寸法Ｌ１の玉葱１０が入り込む隙間Ｘ１に接近させた並行姿勢に直立配置されいる。また、上記根部切断体１は頂部に根１０Ａを挿入する凹部１Ａとこの凹部１Ａの奥方に切断刃Ｋ１，Ｋ２を設置している。上記茎葉切断体２は上記根部切断体１との最小隙間Ｘ１に挿入される玉葱１０により根部切断体１から並行姿勢を保ったままで離反方向側に弾性抵抗力に抗して拡開押動される。そして、茎葉切断体２の頂部に茎葉１０Ｂを挿入する凹部２Ａとこの凹部の奥方に切断刃Ｋ１，Ｋ２を設置したものである。【００３１】  従って、図３〜図６に示すように、収穫した玉葱１０の根１０Ａと茎葉１０Ｂとを同時に切断するに当たり、水平姿勢に玉葱１０の根１０Ａと茎葉１０Ｂとを両手Ｈに持ち、根部切断体１の凹部１Ａに根１０Ａを挿入し、茎葉切断体２の凹部２Ａに茎葉１０Ｂを挿入すると、玉葱１０の球体１０Ｃが根部切断体１と可撓性物の茎葉切断体２におけるヘッド本体２Ｈの最小隙間Ｘ１に挿入される。この時、球体１０Ｃの大きさに対応して、茎葉切断体２が根部切断体１から弾性抵抗を起こしながら離反され、球体１０Ｃを茎葉切断体２と根部切断体１とで軽く挟んだ状態となる。更に、根１０Ａと茎葉１０Ｂを押し込むと、各々の凹部２Ａ，１Ａの奥方に待機する切断刃Ｋ１，Ｋ２とＫ３，Ｋ４の回転刃Ｃ１，Ｃ２とＣ３，Ｃ４により切断され、根１０Ａと茎葉１０Ｂを切り落とされた玉葱１０の球体１０Ｃだけが下方に落下してシュートＳから外部へ搬出され、玉葱１０の根茎切断処理が容易・安全・正確に行われる。【００３２】  尚、上記茎葉切断体２は、図５，図６に示すように、２枚の可撓バネ板２０，２２を接近して直立配置され、上記可撓バネ板２０，２２の対向する内壁面２０Ａ，２２Ａに多数の凸片２３，２５が間隔を空けて付設されており、上記凸片２３，２５の自由端面が相手側の対向内壁面２０Ａ，２２Ａに可撓バネ板２���，２２の撓み時に当接して撓む。これにより、茎葉切断体２が根部切断体１から弾性抵抗を起こしながら離反する。この時、茎葉切断体２の腰折れ現象が起きない。従って、茎葉切断体２は、玉葱１０の挿入時に、根部切断体１から弾性抵抗を起こしながら水平方向に上下動することなく円滑に離反される。そして、根部切断体１と茎葉切断体２との間に、この隙間を縮める弾性体３０が伸ばされて架絡されているから、玉葱１０の挿入時に、茎葉切断体２は、根部切断体１から適度の弾性抵抗力を起こしながら水平方向に円滑に離反される。また、上記根切断体１の凹部１Ａは玉葱１０の根１０Ａを挿通させるとともに、根１０Ａの外周を受け止める基準面１Ｂを有し、茎葉切断体２の凹部２Ａは玉葱１０の茎葉１０Ｂを挿通させるとともに、玉葱１０の球体１０Ｃから茎１０Ｂが出ている肩部１０Ｄの外周を受け止める基準面２Ｂを有しているから、玉葱１０の球体１０Ｃの大きさ・形状の異形等に係わりなく、根１０Ａと茎葉１０Ｂの正確な位置での切断処理が容易に行われる。【００３３】  また、玉葱の根茎切断装置１００は、根部切断体１の凹部１Ａと茎葉切断体２の凹部２Ａとの各切断刃Ｋ１〜Ｋ４は、一対の薄手の回転刃Ｃ１，Ｃ２とＣ３，Ｃ４を左右に重ねたものであるから、玉葱１０の球体１０Ｃの大きさ・形状の異形等に係わりなく、根１０Ａと茎葉１０Ｂとを正確な位置で切断処理が容易に行われる。そして、根部切断体１と茎葉切断体２とを配置している据付基部４０は、車輪付き座椅子５０の座部５０Ａの前側に設置されているから、作業者が座椅子５０の座部５０Ａに腰掛けての楽な処理作業ができ、腰痛等の身体障害を起こさない。更に、車輪付き座椅子５０により、畑の畦に沿って作業をしながら少しずつ移動でき、立ったり座ったりの煩わしさから解放され、作業効率が高められる。また、玉葱１０の根茎切断装置１００は、据付基部４０が座部５０Ａに対して高さ調節機構６０により設置されているから、作業者の体格や姿勢に対応して根切断体１の凹部１Ａと茎葉切断体２の凹部２Ａとの高さ位置が最適位置に調節でき、楽な姿勢での切断処理が行われる。【００３４】  以上、第１の実施の形態によると次のような効果を奏することができる。
まず、玉葱１０の球体１０Ｃは、根１０Ａと茎葉１０Ｂを切り落とす玉葱の根茎切断処理が容易・安全・正確にできる。また、茎葉切断体２は、根部切断体１に対して弾性抵抗を起こしながら水平方向に上下動することなく円滑に離反でき、茎葉１０Ｂの切断時に腰折れ現象が起きない。根切断体１の凹部１Ａに玉葱１０の根１０Ａの外周を受け止める基準面１Ｂを有し、茎葉切断体２の凹部２Ａに茎葉１０Ｂの肩部外周を受け止める基準面２Ｂ及びガイド棒Ｇ１，Ｇ２を有しているから、玉荵１０の球体１０Ｃの大きさ・形状の異形等に係わりなく、根と茎葉の正確な位置での切断処理が容易にできる。また、一対の回転刃Ｃ１，Ｃ２とにより、玉荵１０の球体１０Ｃの大きさ・形状の異形等に係わりなく、根と茎葉とを正確な位置で切断処理が容易にできる。【００３５】  また、据付基部４０は、車輪付き座椅子５０の座部５０Ａの前側に設置されているから、腰痛等の身体障害を起こさずに切断作業できるとともに、少しずつ移動でき立ったり座ったりの煩わしさから解放され、作業効率が高くできる。また、据付基部４０は高さ調節機構６０で、作業者の体格や姿勢に対応して根切断体１の凹部１Ａと茎葉切断体２の凹部２Ａとの高さ位置が最適位置に調節でき、楽な姿勢での切断処理が行できる。【００３６】  しかして、収穫した玉葱１０は、根１０Ａと茎葉１０Ｂとの切断処理作業が従来の切断器具（鎌）に比べ、切断処理時間が約１／２に短縮されて作業効率が高められるばかりか、車輪付き座椅子５０の座部５０Ａに腰掛けた楽な姿勢での作業であるから腰痛などの問題が解消できる。また、根切断体１と可動する根部切断体２及びこれに設けた凹部１Ａ，２Ａとこの奥部に備えた一対の回転刃Ｃ２，Ｃ２とＣ３，Ｃ４により、玉葱１０の球体１０Ｃの大きさ・形状の異形等に係わりなく、根と茎葉が規定位置で安全・正確に切断処理できる。更に、本考案の玉葱の根茎切断装置１００は、小規模な玉葱栽培の生産者に向き、小規模生産者にとって、玉葱生産による利潤確保が確実にできる。【００３７】  次に、図７と図８を参照して第２の実施の形態となる玉葱の根茎切断装置２００を説明する。上記第１の実施の形態における茎葉切断体２において、凹部２Ａに直接設けた基準面２Ｂに替えて、玉葱の球体１０Ｃから茎１０Ｂが出ている肩部１０Ｄの外周を受け止める一対のガイド棒Ｇ１，Ｇ２を上下方向に向けて並設されている。【００３８】  上記ガイド棒Ｇ１，Ｇ２を並設した茎葉切断体２によると、玉葱１０の球体から茎１０Ｂが出ている肩部１０Ｄの外周を受け止める基準面２Ｂに替わる一対のガイド棒Ｇ１，Ｇ２により、玉葱の球体の大きさ・形状の異形等に係わりなく、球体１０Ｃに続く首部の裁断位置の寸法がより一層に正確な位置で切断処理が容易に行われる。【００３９】  次に、図９〜図１１を参照して第３の実施の形態となる玉葱の根茎切断装置３００を説明する。図９と図１０に示すように、茎葉切断体２′は、２枚の可動板２０′，２２′を接近してこの下端部をベース板となる据付基部４０に蝶番Ｊ１で枢支するとともに、上端部を凹部２Ａと切断刃Ｋ３，Ｋ４を備えたヘッド本体２Ｈの下端に蝶番Ｊ２で枢支して直立配置されている。また、上記茎葉切断体２′の凹部２Ａ��、玉葱１０の茎葉１０Ｂを挿通させるとともに、玉葱の球体１０Ｃから茎１０Ｂが出ている肩部１０Ｄの外周を受け止める基準面２Ｂに替わる一対のガイド棒Ｇ１，Ｇ２を上下方向に向けて並設されている。これで、図１１に示すように、上記２枚の可動板２０′，２２′が平行四辺形に平行移動して根部切断体１から離反・接近する。これで、茎葉切断体２が根部切断体１から平行四辺形で平行移動して離反する。この時、茎葉切断体２の腰折れ現象が起きないように構成されている。【００４０】  上記茎葉切断体２によるときは、上記２枚の可動板２０′，２２′が平行四辺形に平行移動して根部切断体１から離反・接近する。これで、茎葉切断体２′の腰折れ現象がおきず円滑に離反される。そして、図８と同様に、玉葱１０の球体から茎１０Ｂが出ている肩部１０Ｄの外周を受け止める基準面２Ｂに替わる一対のガイド棒Ｇ１，Ｇ２により、玉葱の球体の大きさ・形状の異形等に係わりなく、球体１０Ｃに続く首部の裁断位置の寸法がより正確な位置で切断処理が容易に行われる。【００４１】  更に、図１２を参照して第４の実施の形態となる玉葱の根茎切断装置４００を説明する。この第４の実施の形態の場合は、前記第１の実施の形態における据付基部４０を地面に置く基台（車輪付き座椅子から車輪を外したもの）７０に設置したものである。その他の構成は前記第１の実施の形態の場合と同じであるので、同一部分には同一符号を付して示しその説明は省略する。【００４２】  上記第４の実施の形態における玉葱の根茎切断装置４００は、定位置での玉葱１０の根・茎葉の切断作業に向いている。特に、畑で収穫した玉葱を作業場まで搬送し、ここでの切断処理作業用に向いている。その他、上記第１の実施の形態と同様の作用・効果を奏することができるのは勿論である。
【産業上の利用可能性】
【００４３】
【００４４】  本考案は、玉葱の根茎葉の切断装置として説明したが、それに限定されるものではなく、様々な球根類（百合・チューリップ・水仙等）の根茎切断装置にも適用可能である。
【図面の簡単な説明】
【００４５】
【図１】本考案の第１の実施の形態を示し、玉葱の根茎切断装置の斜視図である。
【図２】本発明の第１の実施の形態を示し、根茎切断装置の側面図である。
【図３】本発明の第１の実施の形態を示し、根茎切断装置の要部の平面図である。
【図４】本発明の第１の実施の形態を示し、根茎切断装置の正面図である。
【図５】本発明の第１の実施の形態を示し、根茎切断装置の作用図である。
【図６】本発明の第１の実施の形態を示し、根茎切断装置の作用図である。
【図７】本発明の第２の実施の形態を示し、根茎切断装置の正面図である。
【図８】本発明の第２の実施の形態を示し、根茎切断装置の作用図である。
【図９】本発明の第３の実施の形態を示し、根茎切断装置の側面図である。
【図１０】本発明の第３の実施の形態を示し、根茎切断装置の正面図である。
【図１１】本発明の第３の実施の形態を示し、根茎切断装置の作用図である。
【図１２】本発明の第４の実施の形態を示し、根茎切断装置の斜視図である。
【図１３】従来例を示し、玉葱の根茎切断具（鎌）の斜視図である。
【図１４】従来例を示し、玉葱の切断正面図である。
【符号の説明】
【００４６】    １                根部切断体
１Ａ              凹部
１Ｂ              基準面
２                茎葉切断体
２′              茎葉切断体
２Ａ              凹部
２Ｂ              基準面
２Ｈ              ヘッド本体
１０              玉葱
１０Ａ            根
１０Ｂ            茎葉
１０Ｃ            球体
１０Ｄ            首部
２０，２２        可撓バネ板
２０′，２２′    可動板
２０Ａ，２２Ａ    内壁面
２３，２５        凸片
４０              据付基部
５０              車輪付き座椅子
５０Ａ            座部
７０              基台
１００            玉葱の根茎切断装置
２００            玉葱の根茎切断装置
３００            玉葱の根茎切断装置
４００            玉葱の根茎切断装置
Ｃ１〜Ｃ４        回転刃
ＣＢ              蝶ビス
Ｇ１，Ｇ２        ガイド棒
Ｌ１              最小寸法
Ｌ２              中間寸法
Ｌ３              最大寸法
ｈ１〜ｈ３        小孔
Ｋ１〜Ｋ４        切断刃
Ｘ１              最小隙間
Ｘ３              最大隙間
【図１】
0003112277.tif 000003
【図２】
0003112277.tif 000004
【図３】
0003112277.tif 000005
【図４】
0003112277.tif 000006
【図５】
0003112277.tif 000007
【図６】
0003112277.tif 000008
【図７】
0003112277.tif 000009
【図８】
0003112277.tif 000010
【図９】
0003112277.tif 000011
【図１０】
0003112277.tif 000012
【図１１】
0003112277.tif 000013
【図１２】
0003112277.tif 000014
【図１３】
0003112277.tif 000015
【図１４】
0003112277.tif 000016